(57)【要約】【課題】基礎を構築することなく、場所打ちコンクリート杭と基礎梁とを簡易な施工で接合する場所打ちコンクリート杭と基礎梁の接合構造、場所打ちコンクリート杭と基礎梁の接合方法を提供する。【解決手段】基礎梁２０は、２つの場所打ちコンクリート杭１０の間に配置される基礎梁中央部２０２と場所打ちコンクリート杭１０の頭部と接合される基礎梁端部２０１とからなり、基礎梁端部２０１は、場所打ちコンクリート杭１０の頭部の径とほぼ同じ幅員を有し、基礎梁中央部２０２の第２主鉄筋と並設され、第２主鉄筋とともに第１主鉄筋１１と直交して設置範囲１０１の外周部分に接触し、場所打ちコンクリート杭１０の頭部を貫通して配置される第３主鉄筋を備え、各主鉄筋にコンクリートが打ち込まれることにより、場所打ちコンクリート杭１０と前記基礎梁２０が接合される。【選択図】図３
2013234518.tif 000002
【特許請求の範囲】
【請求項１】
場所打ちコンクリート杭と鉄筋コンクリート造の基礎梁とを接合する場所打ちコンクリート杭と鉄筋コンクリート造の基礎梁との接合構造であって、
前記場所打ちコンクリート杭の第１主鉄筋が配置される位置に前記第１主鉄筋よりも大きな径の設置範囲が設定され、
前記鉄筋コンクリート造の基礎梁は、２つの場所打ちコンクリート杭の間に配置される基礎梁中央部と前記場所打ちコンクリート杭の頭部と接合される基礎梁端部とからなり、
前記基礎梁端部は、
前記場所打ちコンクリート杭の頭部の径とほぼ同じ幅員を有し、
前記基礎梁中央部の第２主鉄筋と並設され、前記第２主鉄筋とともに前記第１主鉄筋と直交して前記設置範囲の外周部分に接触し、前記場所打ちコンクリート杭の頭部を貫通して配置される第３主鉄筋を備え、
前記第１主鉄筋と交錯する前記第２および第３主鉄筋にコンクリートが打ち込まれることにより、
前記場所打ちコンクリート杭と前記鉄筋コンクリート造の基礎梁とを接合する
ことを特徴とする場所打ちコンクリート杭と鉄筋コンクリート造の基礎梁の接合構造。
【請求項２】
前記場所打ちコンクリート杭は、頭部から底端部まで同径の場所打ちコンクリート杭、場所打ちコンクリート拡底杭、場所打ち鋼管コンクリート杭、及び、場所打ち拡頭コンクリート杭のいずれかである
ことを特徴とする請求項１に記載の場所打ちコンクリート杭と鉄筋コンクリート造の基礎梁の接合構造。
【請求項３】
前記鉄筋コンクリート造の基礎梁は、前記基礎梁中央部の幅員を前記基礎梁端部よりも狭く形成した
ことを特徴とする請求項１または２に記載の場所打ちコンクリート杭と鉄筋コンクリート造の基礎梁との接合構造。
【請求項４】
前記鉄筋コンクリート造の基礎梁は、前記基礎梁端部の、該鉄筋コンクリート造の基礎梁の中心軸の両側方部分の高さを前記基礎梁中央部よりも低く形成した
ことを特徴とする請求項１から３のいずれか１項に記載の場所打ちコンクリート杭と鉄筋コンクリート造の基礎梁との接合構造。
【請求項５】
場所打ちコンクリート杭と鉄筋コンクリート造の基礎梁とを接合する場所打ちコンクリート杭と鉄筋コンクリート造の基礎梁の接合方法であって、
前記場所打ちコンクリート杭の第１主鉄筋を配置する位置に前記第１主鉄筋よりも大きな径の設置範囲を設定し、
前記場所打ちコンクリート杭の中心軸を中心にして、前記鉄筋コンクリート造の基礎梁の基礎梁中央部の第２主鉄筋と並設し、前記第２主鉄筋とともに前記第１主鉄筋と直交して前記設置範囲の外周部分に接触し、前記場所打ちコンクリート杭の頭部を貫通するように前記鉄筋コンクリート造の基礎梁の基礎梁端部をなす第３主鉄筋の配置位置を設定し、
前記設定した位置に前記第２および第３主鉄筋を設置してコンクリートを打ち込み、前記場所打ちコンクリート杭の頭部の径とほぼ同じ幅員を有する基礎梁端部を、
前記鉄筋コンクリート造の基礎梁の前記場所打ちコンクリート杭と接合する部分に形成する
ことを特徴とする場所打ちコンクリート杭と鉄筋コンクリート造の基礎梁の接合方法。
【請求項６】
前記場所打ちコンクリート杭は、頭部から底端部まで同径の場所打ちコンクリート杭、場所打ちコンクリート拡底杭、場所打ち鋼管コンクリート杭、及び、場所打ち拡頭コンクリート杭のいずれかである
ことを特徴とする請求項５に記載の場所打ちコンクリート杭と鉄筋コンクリート造の基礎梁との接合方法。
【請求項７】
前記第２主鉄筋は、前記基礎梁中央部の各角辺に配置される第２外側主鉄筋と、前記各第２外側主鉄筋の間に配置される第２内側主鉄筋とからなり、
前記設定位置に前記第２外側主鉄筋を設置してから前記第２内側主鉄筋を設置し、
前記第３主鉄筋は、前記基礎梁端部の各角辺に配置される第３外側主鉄筋と、前記各第３外側主鉄筋の間に配置される第３内側主鉄筋とからなり、
前記設定位置に前記第３外側主鉄筋を設置してから前記第３内側主鉄筋を設置する
ことを特徴とする請求項５または６に記載の場所打ちコンクリート杭と鉄筋コンクリート造の基礎梁との接合方法。 
【発明の詳細な説明】
【技術分野】
【０００１】
この発明は、地表近くの地中において複数の場所打ちコンクリート杭と鉄筋コンクリート造の基礎梁（以下、基礎梁と記載する）とを接合して基礎部分を構築する場所打ちコンクリート杭と基礎梁の接合構造、場所打ちコンクリート杭と基礎梁の接合方法に関するものである。
【背景技術】
【０００２】
建造物を構築する際には、地中に複数の場所打ちコンクリート杭を鉛直方向に埋設し、その上方に建屋などを建築している。具体的には、建築場所の地中に複数の場所打ちコンクリート杭を、適当に離間して鉛直に設置し、各場所打ちコンクリート杭の頭部を基礎梁によって接続しており、例えば地震などによる建造物等に対して水平方向に作用する外力に耐えられるようにしている（例えば特許文献１参照）。
【０００３】
上記の場所打ちコンクリート杭は、例えば所定本数の主鉄筋を、副鉄筋等を使用して結束し、これにコンクリートを打ち込んで、所定の場所に形成されている。また、それぞれの場所に配置された各場所打ちコンクリート杭は、水平方向に延設された複数の基礎梁で接合される。
従来、場所打ちコンクリート杭と基礎梁とを接合する場合には、場所打ちコンクリート杭の頭部に基礎を構築し、この基礎において場所打ちコンクリートと基礎梁を接合していた。
【０００４】
場所打ちコンクリート杭と基礎梁とを接合する基礎の内部には、場所打ちコンクリート杭の主鉄筋の端部、基礎梁の主鉄筋の端部が挿入される。
詳しくは、場所打ちコンクリート杭の主鉄筋は、基礎内部へ鉛直方向に挿入され、基礎梁の主鉄筋は、基礎内部へ水平方向に挿入され、当該基礎内部において直交する配置となる。
また、場所打ちコンクリート杭と基礎梁との接合部分の上部には、建造物の柱等を構築する場合が多く、柱の主鉄筋、場所打ちコンクリート杭の主鉄筋、基礎梁主鉄筋、さらに上記の基礎の主鉄筋が、当該基礎内部に集中配置される。
【先行技術文献】
【特許文献】
【０００５】
【特許文献１】特許第３８５６７９６号公報
【発明の概要】
【発明が解決しようとする課題】
【０００６】
従来の、場所打ちコンクリート杭と基礎梁とを接合する部分には、場所打ちコンクリート杭の主鉄筋、基礎梁の主鉄筋、柱の主鉄筋、基礎の主鉄筋が、当該基礎の中で複雑に配置され、当該接合部分の施工が難しくなるという問題点があった。
【０００７】
この発明は、上記のような課題を解決するためになされたもので、基礎を構築することなく、場所打ちコンクリート杭と基礎梁とを簡易な施工で接合する場所打ちコンクリート杭と基礎梁の接合構造、場所打ちコンクリート杭と基礎梁の接合方法を提供することを目的とする。
【課題を解決するための手段】
【０００８】
この発明に係る場所打ちコンクリート杭と基礎梁の接合構造は、場所打ちコンクリート杭の第１主鉄筋が配置される位置に前記第１主鉄筋よりも大きな径の設置範囲が設定され、前記鉄筋コンクリート造の基礎梁は、２つの場所打ちコンクリート杭の間に配置される基礎梁中央部と前記場所打ちコンクリート杭の頭部と接合される基礎梁端部とからなり、前記基礎梁端部は、前記場所打ちコンクリート杭の頭部の径とほぼ同じ幅員を有し、前記基礎梁中央部の第２主鉄筋と並設され、前記第２主鉄筋とともに前記第１主鉄筋と直交して前記設置範囲の外周部分に接触し、前記場所打ちコンクリート杭の頭部を貫通して配置される第３主鉄筋を備え、前記第１主鉄筋と交錯する前記第２および第３主鉄筋にコンクリートが打ち込まれることにより、前記場所打ちコンクリート杭と前記鉄筋コンクリート造の基礎梁とを接合することを特徴とする。
【０００９】
また、前記場所打ちコンクリート杭は、頭部から底端部まで同径の場所打ちコンクリート杭、場所打ちコンクリート拡底杭、場所打ち鋼管コンクリート杭、及び、場所打ち拡頭コンクリート杭のいずれかであることを特徴とする。
【００１０】
また、前記鉄筋コンクリート造の基礎梁は、前記基礎梁中央部の幅員を前記基礎梁端部よりも狭く形成したことを特徴とする。
【００１１】
また、前記鉄筋コンクリート造の基礎梁は、前記基礎梁端部の、該鉄筋コンクリート造の基礎梁の中心軸の両側方部分の高さを前記基礎梁中央部よりも低く形成したことを特徴とする。
【００１２】
この発明に係る場所打ちコンクリート杭と鉄筋コンクリート造の基礎梁の接合方法は、前記場所打ちコンクリート杭の第１主鉄筋を配置する位置に前記第１主鉄筋よりも大きな径の設置範囲を設定し、前記場所打ちコンクリート杭の中心軸を中心にして、前記鉄筋コンクリート造の基礎梁の基礎梁中央部の第２主鉄筋と並設し、前記第２主鉄筋とともに前記第１主鉄筋と直交して前記設置範囲の外周部分に接触し、前記場所打ちコンクリート杭の頭部を貫通するように前記鉄筋コンクリート造の基礎梁の基礎梁端部をなす第３主鉄筋の配置位置を設定し、前記設定した位置に前記第２および第３主鉄筋を設置してコンクリートを打ち込み、前記場所打ちコンクリート杭の頭部の径とほぼ同じ幅員を有する基礎梁端部を、前記鉄筋コンクリート造の基礎梁の前記場所打ちコンクリート杭と接合する部分に形成することを特徴とする。
【００１３】
また、前記場所打ちコンクリート杭は、頭部から底端部まで同径の場所打ちコンクリート杭、場所打ちコンクリート拡底杭、場所打ち鋼管コンクリート杭、及び、場所打ち拡頭コンクリート杭のいずれかであることを特徴とする。
【００１４】
また、前記第２主鉄筋は、前記基礎梁中央部の各角辺に配置される第２外側主鉄筋と、前記各第２外側主鉄筋の間に配置される第２内側主鉄筋とからなり、前記設定位置に前記第２外側主鉄筋を設置してから前記第２内側主鉄筋を設置し、前記第３主鉄筋は、前記基礎梁端部の各角辺に配置される第３外側主鉄筋と、前記各第３外側主鉄筋の間に配置される第３内側主鉄筋とからなり、前記設定位置に前記第３外側主鉄筋を設置してから前記第３内側主鉄筋を設置することを特徴とする。
【発明の効果】
【００１５】
この発明によれば、基礎を構築することなく、場所打ちコンクリート杭と基礎梁とを接合し、接合部分に十分な強度を備えることができる。
【図面の簡単な説明】
【００１６】
【図１】この実施例による場所打ちコンクリート杭と基礎梁の接合構造を用いた建造物の基礎部分を示す説明図である。
【図２】この実施例の場所打ちコンクリート杭と基礎梁の接合構造を示す説明図である。
【図３】この実施例の場所打ちコンクリート杭と基礎梁の接合構造を示す説明図である。
【図４】図２に示す場所打ちコンクリート杭と基礎梁の接合構造を示す説明図である。
【図５】図４に示したＡ−Ａ’線における断面図である。
【図６】図４に示したＢ−Ｂ’線における断面図である。
【図７】図４に示したＣ−Ｃ’線における断面図である。
【発明を実施するための形態】
【００１７】
以下、この発明の実施の一形態を図に基づいて説明する。
【実施例】
【００１８】
図１は、この実施例による場所打ちコンクリート杭と基礎梁の接合構造を用いた建造物の基礎部分を示す説明図である。この図は、建造物の基礎部分の一端部を上方から視て、当該基礎部分に設けられた各場所打ちコンクリート杭１０の頭部を接続する基礎梁２０の配置を示している。上記の場所打ちコンクリート杭は、図中、隅柱５０（ａ）、側柱５０（ｂ）、中柱５０（ｃ）の下方、即ち各基礎梁２０が接合されている場所の下方に設けられている。
図２は、この実施例の場所打ちコンクリート杭と基礎梁の接合部分の構造を示す説明図である。この図は、地中に構築される場所打ちコンクリート杭１０の頭部と基礎梁２０の接合部分の略縦断面を示したもので、この接合部分に構築された柱５０、場所打ちコンクリート杭１０、基礎梁２０を成す各主鉄筋の配置等を示している。
【００１９】
場所打ちコンクリート杭１０は、具体的には、頭部から底端部まで同径のストレート状に形成された場所打ちコンクリート杭、底端部をテーパー状に拡げて杭径よりも大きくした場所打ちコンクリート拡底杭、頭部に鋼管を冠設した場所打ち鋼管コンクリート杭、また、頭部を杭径よりも拡げた場所打ち拡頭コンクリート杭などが用いられる。
場所打ちコンクリート杭１０は、所定の間隔をもって地中へ鉛直に打ち込まれ、図１に示したように隅柱５０（ａ）、側柱５０（ｂ）、中柱５０（ｃ）が構築される位置、さらに、建造物の基礎部分の地盤を強固にする場所に設置される。
基礎梁２０は、基礎梁端部２０１と基礎梁中央部２０２からなり、上記のように設置された各場所打ちコンクリート杭１０の間を接続する。
【００２０】
建造物の隅角部分に配置される場所打ちコンクリート杭１０の頭部には、上方視したとき、２つの基礎梁２０が略Ｌ字状に接合配置され、この部分に隅柱５０（ａ）が構築される。
建造物の例えば側壁部分に配置される場所打ちコンクリート杭１０の頭部には、３つの基礎梁２０が略Ｔ字状に接合配置され、この部分に側柱５０（ｂ）が構築される。
また、建造物の床下等に配置される場所打ちコンクリート杭１０の頭部には、４つの基礎梁２０が略十字状に接合配置され、この部分に前述の中柱５０（ｃ）が構築される。
【００２１】
図２に示した柱５０は、例えば図１の隅柱５０（ａ）、側柱５０（ｂ）、中柱５０（ｃ）のいずれかであり、柱５０を形成する主鉄筋は、下方に設けられた場所打ちコンクリート杭１０を形成する主鉄筋と重ね継ぎされている。また、これらの主鉄筋と直交し、間隙を貫いて基礎梁２０を形成する主鉄筋が配置されている。
【００２２】
図３は、この実施例の場所打ちコンクリート杭と基礎梁の接合構造を示す説明図である。この図は、略十字状に配置形成された基礎梁２０と場所打ちコンクリート杭１０との接合部分を上方から透視し、各主鉄筋の配置構成を示している。
また、図３には、場所打ちコンクリート杭１０に対して略十字状に接合された基礎梁２０を示しているが、ここでは図２において横方向に延設される基礎梁２０に着目して説明する。
【００２３】
場所打ちコンクリート杭１０は、自身の中心軸方向に主鉄筋１１を複数配置し、コンクリートを打ち込んで上記の各主鉄筋１１を内包することによって形成される。主鉄筋１１は、円柱状の場所打ちコンクリート杭１０の内周に沿って配置される。図２に例示した場所打ちコンクリート杭１０は、２４本の主鉄筋１１をその内周に沿った円周状に配置している。
場所打ちコンクリート杭１０に接合される基礎梁２０は、自身の中心軸方向に直交する断面形状が四辺形に形成されており、当該断面形状の角部、即ち梁の角辺に配置される外側主鉄筋２１、各角辺に配置された外側主鉄筋２１の間において、梁の側壁（例えば当該梁の上端面や下端面）に沿って配置される内側主鉄筋２２を備えている。
【００２４】
基礎梁２０は、前述のように、基礎梁端部２０１と基礎梁中央部２０２を有しており、それぞれ外側主鉄筋２１と内側主鉄筋２２によって形成されている。
基礎梁端部２０１は、場所打ちコンクリート杭１０の頭部と接合する部分であり、基礎梁２０の水平ハンチを形成する。
図３に例示した基礎梁端部２０１は、場所打ちコンクリート杭１０の外径と同じ程度の幅員を有しており、当該基礎梁端部２０１を成す外側主鉄筋２１および内側主鉄筋２２は、後述する基礎梁中央部２０２を成す外側主鉄筋２１および内側主鉄筋２２と並列に配置される。
建造物の基礎部分は、地震などによって大きなストレスが加わった場合の、杭と梁との接合部分の降伏を考慮する必要がないことから、主鉄筋の数量が多い基礎梁端部２０１を基礎梁２０に設けて付け根部分の強度を高めている。
【００２５】
基礎梁中央部２０２は、基礎梁端部２０１よりも幅員が狭く形成されている。基礎梁端部２０１を備えることにより、場所打ちコンクリート杭１０と基礎梁２０の接合部分に十分な強度を確保することができることから、基礎梁中央部２０２を基礎梁端部２０１よりも断面積等を小さく構成することが可能になる。
なお、ここで例示した基礎梁２０は、上方視したとき略十字状となるよう４つ配置されているが、要求される強度等に応じて、いずれか一つの基礎梁２０の基礎梁端部２０１を、他の基礎梁２０の基礎梁端部２０１よりも短く形成してもよい。また、いずれか２つの基礎梁２０の各基礎梁端部２０1、あるいは、３つの基礎梁２０の各基礎梁端部２０１を、他の基礎梁２０の基礎梁端部２０１よりも短く形成してもよい。
【００２６】
基礎梁２０の各主鉄筋の配置位置を設定するとき、初めに外側主鉄筋２１を場所打ちコンクリート杭１０の各主鉄筋１１が設置される位置に対応させて設定する。
外側主鉄筋２１は、基礎梁中央部２０２の角辺に配置されるものと、基礎梁端部２０１の角辺に配置されるものがあり、これらの位置を決めておく。
図３は、基礎梁２０を上方視し、その内部の上端側を示したものなので、図中、左右方向に延設された４本の外側主鉄筋２１が示されている。なお、図中奥行き方向においても外側主鉄筋２１ならびに後述する内側主鉄筋２２の配置位置を同様に設定する。
【００２７】
前述のように基礎梁端部２０１ならびに基礎梁中央部２０２の外側主鉄筋２１の配置位置を設定した後、これらの外側主鉄筋２１の間に内側主鉄筋２２の配置位置を設定する。これら外側主鉄筋２１および内側主鉄筋２２は、場所打ちコンクリート杭１０の主鉄筋１１の配置位置の周囲に設けた設置範囲１０１を避けて設定する。詳しくは、各設置範囲１０１の外周部分と接する位置に設定され、場所打ちコンクリート杭１０の外周壁に近接する位置に設定するものを除いて、任意の２つの設置範囲１０１の間に設定するとともに、場所打ちコンクリート杭１０の頭部を水平方向に貫通するように設定する。
また、基礎梁端部２０１の外側主鉄筋２１および内側主鉄筋２２と、基礎梁中央部２０２の外側主鉄筋２１および内側主鉄筋２２は、図３に示したように長さが異なっているが、これら主鉄筋の端部を揃えて、基礎コンクリート杭１０の頭部を貫通した位置において、当該各主鉄筋の端部が一列に並ぶように配置設定する。即ち、基礎梁端部２０１は、場所打ちコンクリート杭１０の頭部を覆って径方向に貫通して設けられる。
【００２８】
前述の設置範囲１０１は、主鉄筋１１を設置する施工の際に生じる許容範囲内の誤差等に基づいて設定し、例えば場所打ちコンクリート杭１０の直径が２４００［ｍｍ］、主鉄筋１１の直径が４１［ｍｍ］とした場合には、直径１５０［ｍｍ］の設置範囲１０１を設ける。例えば、場所打ちコンクリート杭１０の直径に応じて主鉄筋１１の本数を４の倍数とし、また、設置範囲１０１の径を主鉄筋１１の例えば３．６〜３．７倍の径にすると各主鉄筋の間隔が適当な距離になり、各施工が容易になる。
換言すると、外側主鉄筋２１や内側主鉄筋２２の配置間隔を、それぞれ設置範囲１０１の径と同等、もしくはそれよりも若干広く設定し、主鉄筋１１と直交する外側主鉄筋２１や内側主鉄筋２２を配置施工することが容易になる空きスペースを設ける。
【００２９】
例えば、前述のように場所打ちコンクリート杭１０の直径を２４００［ｍｍ］としたとき、基礎梁端部２０１の幅員を前述のように場所打ちコンクリート杭１０の直径とほぼ同じサイズ、例えば２４００〜２５００［ｍｍ］程度として、基礎梁端部２０１の内部に十分な数量の外側主鉄筋２１ならびに内側主鉄筋２２を配置設定する。また、外側主鉄筋２１および内側主鉄筋２２の配置位置を、設置範囲１０１の外周部分と接触して場所打ちコンクリート杭１０の頭部を貫通するように設定する。このように各主鉄筋の配置位置を設定することにより、施工の際には外側主鉄筋２１ならびに内側主鉄筋２２と、場所打ちコンクリート杭１０の主鉄筋１１が直交して交互に挟み合う（交錯する）配置になる。
【００３０】
基礎梁２０を構築するときには、先に所定の位置に場所打ちコンクリート杭１０を形成し、当該場所打ちコンクリート杭１０の頭部において上方に延設されている各主鉄筋１１に対応させて、前述のように設定した位置に外側主鉄筋２１を設置し、さらに内側主鉄筋２２を設置して、適宜、これらの主鉄筋を図示されない副鉄筋（帯筋）等を用いて繋ぐ。これらの鉄筋にコンクリートを打ち込んで、基礎梁中央部２０２と一体化させて基礎梁端部２０１を形成する。
【００３１】
場所打ちコンクリート杭１０と接合する複数の基礎梁２０は、上方視したとき例えば略Ｌ字状、略Ｔ字状、略十字状となるように配置され、各基礎梁２０の中心軸が場所打ちコンクリート杭１０の中心軸と一点において交差するように、場所打ちコンクリート杭１０に対して各基礎梁２０が配置される。このように接合させるとき、場所打ちコンクリート杭１０の頭部において主鉄筋１１の外周部分（設置範囲１０１）を囲うように、各方向に延設される基礎梁２０の主鉄筋を交差させて設置する。
【００３２】
図４は、図３に示す場所打ちコンクリート杭と基礎梁の接合構造を示す説明図である。この図は、基礎梁２０を上方視した際の部分断面を示したもので、図中右側は地表に対して水平方向の断面で、基礎梁２０の下端部分を示したものである。また、この部分断面は、外側主鉄筋２１ならびに内側主鉄筋２２のそれぞれを、複数の副鉄筋３０によって結束固定した状態を示している。
図４の図中左側は、基礎梁２０の内部の概略配置構成を示しており、基礎梁２０の高さ方向（図中奥行き方向）における中間部分の断面を示している。この断面では、基礎梁２０と場所打ちコンクリート杭１０の位置関係が表されている。基礎梁２０は、パネルゾーンにおいて、図中、左右に分けて示した各配置・構成を、上下方向（地表に対して鉛直方向）に所定間隔をもって備えている。
【００３３】
図５は、図４に示したＡ−Ａ’線における断面図である。この図は、図４の基礎梁端部２０１ならびに基礎梁中央部２０２の延設方向に直交する断面であり、基礎梁２０が設置される地表に対して鉛直な断面を表している。
図５（ａ）に例示した基礎梁２０は、基礎梁端部２０１の高さ方向（設置される地面に対して鉛直方向）の寸法と基礎梁中央部２０２の高さ方向の寸法を同一に形成したもので、その断面形状は外型が四辺形となり、基礎梁中央部２０２が基礎梁端部２０１に内包される。
図５（ｂ）は、図中左側に基礎梁端部２０１の断面を示し、右側には、この基礎梁端部２０１から延設される基礎梁中央部２０１の断面を示している。
図５（ｂ）に例示した基礎梁２０は、基礎梁端部２０１の高さ方向の寸法を、梁中央部２０２の高さ方向の寸法よりも小さく、即ち高さを低く形成したもので、その断面形状は上下に逆向きの略Ｔ字状になる。詳しくは、基礎梁端部２０１の、基礎梁中央部２０２と連なる部分、即ち基礎梁端部２０１の幅員方向において中央の部分を基礎梁中央部２０２と同じ高さに形成し、その両側方（基礎梁２０の中心軸の側方）部分を基礎梁中央部２０２よりも低く形成している。
【００３４】
図５（ａ）、（ｂ）に示した基礎梁端部２０１は、梁の角辺部分、即ち、断面における角隅に外側主鉄筋２１が配置されている。２つの外側主鉄筋２１に挟まれた部位には、内側主鉄筋２２が配置されている。このように配置された外側主鉄筋２１および内側主鉄筋２２にコンクリートが打ち込まれ、基礎梁２０が形成される。なお、図５（ｂ）のように形成された基礎梁端部２０１は、最上端部と最下端部にそれぞれ外側主鉄筋２１および内側主鉄筋２２が設置される。
【００３５】
図６は、図４に示したＢ−Ｂ’線における断面図である。この図は、図４の基礎梁端部２０１ならびに基礎梁中央部２０２の延設方向に沿った断面であり、基礎梁２０が設置される地表に対して鉛直な断面を表している。
図示した外側主鉄筋２１は、基礎梁２０の中心軸方向に沿って延設されており、基礎梁中央部２０２の断面における四隅、即ち梁の角辺部分に配置されている。また、基礎梁中央部２０２の外側主鉄筋２１ならびに図示されない内側主鉄筋は、基礎梁端部２０１の図示されない外側主鉄筋および内側主鉄筋とともに、場所打ちコンクリート杭１０の主鉄筋１１に当接することなく場所打ちコンクリート杭１０の径方向に沿って当該杭頭部の内部を貫通している。なお、図中、奥行き方向には、図示した外側主鉄筋２１と重なるように図示されない複数の内側主鉄筋が配置されている。
【００３６】
図７は、図４に示したＣ−Ｃ’線における断面図である。この図は、図４の基礎梁端部２０１の延設方向に沿った断面であり、基礎梁２０が設置される地表に対して鉛直な断面を表している。
図７（ａ）は、図５（ａ）に例示した形状の基礎梁２０の断面を示し、図７（ｂ）は、図５（ｂ）に例示した形状の基礎梁２０の断面を示している。
図７（ａ）、（ｂ）に示した外側主鉄筋２１は、基礎梁２０、もしくは基礎梁端部２０１の中心軸方向に沿って延設されており、前述のように基礎梁端部２０１の再上端部ならびに最下端部に配置されている。また、２つの外側主鉄筋２１の間に配置された、図示されない内側主鉄筋は、並設された外側主鉄筋２１とともに、主鉄筋１１に対して直交し、各主鉄筋１１の間隙に配置されて場所打ちコンクリート杭１０の杭頭部を貫通している。
【００３７】
以上のように、この実施例によれば、基礎梁２０の基礎梁端部２０１を、場所打ちコンクリート杭１０の頭部の径と同程度の幅員に形成し、場所打ちコンクリート杭１０の頭部を貫通するように配置して、場所打ちコンクリート杭１０と基礎梁２０とを接合するようにしたので、接合するための基礎を構築することなく、場所打ちコンクリート杭１０と基礎梁２０とを接合することができる。
【００３８】
また、主鉄筋１１を設置する設置範囲１０１を設定しておき、各設置範囲１０１の外周部位に接して場所打ちコンクリート杭１０の頭部を貫通するように、基礎梁２０の外側主鉄筋２１および内側主鉄筋２２の配置位置を設定するようにしたので、適当な間隔を設けて基礎梁２０の各主鉄筋を場所打ちコンクリート杭１０の主鉄筋の間隙に設置することができ、例えば各主鉄筋を繋ぐ施工を容易にすることができる。
【００３９】
また、基礎梁中央部２０２の主鉄筋と基礎梁端部２０１の主鉄筋とを並列に配置して、場所打ちコンクリート杭１０の主鉄筋の間隙を通って場所打ちコンクリート杭１０の頭部を貫通させ、これらの主鉄筋にコンクリート打って基礎梁端部２０１ならびに基礎梁中央部２０２を形成させたので、基礎梁２０と場所打ちコンクリート杭１０との接合部分の強度を高めることができる。
【符号の説明】
【００４０】
１０場所打ちコンクリート杭
１１主鉄筋
２０基礎梁
２１外側主鉄筋
２２内側主鉄筋
３０副鉄筋
５０柱
１０１設置範囲
２０１基礎梁端部
２０２基礎梁中央部
【図１】
2013234518.tif 000003
【図２】
2013234518.tif 000004
【図３】
2013234518.tif 000005
【図４】
2013234518.tif 000006
【図５】
2013234518.tif 000007
【図６】
2013234518.tif 000008
【図７】
2013234518.tif 000009